(57)【要約】【課題】プラグとケーブルとが一体になった構成を準備する必要がない接続装置を得る。【解決手段】ケーブルの芯線と電気的に接続される第１の端子と、絶縁体を介して第１の端子を支持する支持部およびケーブルの導線と電気的に接続される円筒部を含む第２の端子５と、支持部の外周を覆う絶縁性カバー６と、円筒部の外周を覆う絶縁性キャップ７と、導線を第２の端子５に固定するビスとを有し、円筒部にはビスが挿入される開口が形成され、絶縁性キャップ７は、円筒部に取り付けられた状態で、開口に挿入されたビスを覆い、かつ円筒部の外周を覆うものである。【選択図】図１
2020064830.tif 000002
【特許請求の範囲】
【請求項１】
芯線および前記芯線とは異なる導線を有するケーブルが接続される接続装置であって、
前記芯線と電気的に接続される第１の端子と、
絶縁体を介して前記第１の端子を支持する支持部、および前記ケーブルが挿入され、前記導線と電気的に接続される円筒部を含む第２の端子と、
前記支持部の外周を覆う絶縁性カバーと、
前記円筒部の外周を覆う絶縁性キャップと、
前記導線を前記第２の端子に固定するビスと、を有し、
前記円筒部には前記ビスが挿入される開口が形成され、
前記絶縁性キャップは、前記円筒部に取り付けられた状態で、前記開口に挿入された前記ビスを覆い、かつ前記円筒部の外周を覆う構成である、
接続装置。
【請求項２】
前記絶縁性キャップには内周面に第１のネジが形成され、
前記円筒部には前記第１のネジに対応する第２のネジが形成され、
前記絶縁性キャップは、前記第２のネジに前記第１のネジが噛み合わされることで、前記円筒部に取り付けられる構成である、請求項１に記載の接続装置。
【請求項３】
請求項１または２に記載の接続装置がプラグであって、
前記第１の端子は、
前記芯線と電気的に接続される第１のピンと、
ソケットが接続される第２のピンと、を有し、
前記第１のピンの軸方向と前記第２のピンの軸方向とが垂直である、プラグ。
【請求項４】
請求項１または２に記載の接続装置がプラグであって、
前記第１の端子は、
前記芯線と電気的に接続される第１のピンと、
ソケットが接続される第２のピンと、を有し、
前記第１のピンの軸方向と前記第２のピンの軸方向とが平行である、プラグ。
【請求項５】
請求項１または２に記載の接続装置がソケットであって、
前記第１の端子の軸方向において、接続されるプラグに対して前記支持部のうち最も近い側の面は、前記接続されるプラグに対して前記絶縁性カバーのうち最も近い側の面よりも前記円筒部に近い位置にある、ソケット。
【発明の詳細な説明】
【技術分野】
【０００１】
本発明は、電気的な接続を行う接続装置、プラグおよびソケットに関する。
【背景技術】
【０００２】
従来のプラグおよびジャックとして、汎用性を向上させたプラグ脱離防止構造が提案されている（例えば、特許文献１参照）。特許文献１に開示されたプラグ脱離防止構造では、ケーブルと一体になったプラグをジャックに接続すると、弾性部がプラグ固定部とプラグおよびジャックとの精度の誤差を修正する。
【先行技術文献】
【特許文献】
【０００３】
【特許文献１】特開２０１１−５４３４９号公報
【発明の概要】
【発明が解決しようとする課題】
【０００４】
特許文献１に開示されたプラグでは、プラグとケーブルとが一体になっているため、ジャックの種類に対応するプラグとケーブルとが一体に構成されたものを事前に準備する必要があった。
【０００５】
本発明は、上記のような課題を解決するためになされたもので、プラグとケーブルとが一体になったものを準備する必要がない接続装置、プラグおよびソケットを得るものである。
【課題を解決するための手段】
【０００６】
本発明に係る接続装置は、芯線および前記芯線とは異なる導線を有するケーブルが接続される接続装置であって、前記芯線と電気的に接続される第１の端子と、絶縁体を介して前記第１の端子を支持する支持部、および前記ケーブルが挿入され、前記導線と電気的に接続される円筒部を含む第２の端子と、前記支持部の外周を覆う絶縁性カバーと、前記円筒部の外周を覆う絶縁性キャップと、前記導線を前記第２の端子に固定するビスと、を有し、前記円筒部には前記ビスが挿入される開口が形成され、前記絶縁性キャップは、前記円筒部に取り付けられた状態で、前記開口に挿入された前記ビスを覆い、かつ前記円筒部の外周を覆う構成である。
【０００７】
本発明に係るプラグは上記の接続装置がプラグの場合である。本発明に係るソケットは上記の接続装置がソケットの場合である。
【発明の効果】
【０００８】
本発明によれば、接続装置にケーブルを差し込み、ビスでケーブルを固定することで、はんだ付けなしで第１の端子および第２の端子の各接点で電極同士を簡便に電気的に接続することができる。そのため、プラグとケーブルとが一体に構成されたものを事前に準備する必要がない。
【図面の簡単な説明】
【０００９】
【図１】本発明の実施の形態１に係るプラグの一構成例を示す外観図である。
【図２】図１に示すプラグを下から見たときの外観図である。
【図３】図１に示すプラグにおいて、キャップを外した状態を示す外観図である。
【図４】図１に示したプラグの断面図である。
【図５】本発明の実施の形態１に係るプラグに取り付けるケーブルの一構成例を示す外観模式図である。
【図６】図１に示したプラグにケーブルを取り付ける手順の一例を示す図である。
【図７】本発明の実施の形態１に係るプラグの別の構成例を示す外観斜視図である。
【図８】図７に示したプラグを別の方向からみたときの外観図である。
【図９】図８に示したプラグの断面図である。
【図１０】本発明の実施の形態２に係るソケットの一構成例を示す外観斜視図である。
【図１１】図１０に示したソケットを別の方向から見たときの構成例を示す外観図である。
【図１２】図１１に示すソケットにおいて、キャップを外した状態を示す外観図である。
【図１３】図１１に示したソケットの断面図である。
【図１４】図１０に示したソケットにケーブルを取り付ける手順の一例を示す図である。
【図１５】図１に示したプラグおよび図１０に示したソケットが組み合わされたコネクタの一構成例を示す外観図である。
【図１６】図１に示した絶縁性キャップの別の構成例を示す図である。
【図１７】図１６に示した絶縁性キャップをプラグ本体に取り付ける手順の一例を示す図である。
【図１８】図１に示した絶縁性キャップの別の構成例を示す断面模式図である。
【図１９】図３に示したプラグの円筒部の別の構成例を説明するための図である。
【図２０】図１８に示したキャップを図１９に示した円筒部に取り付ける手順の一例を示す図である。
【発明を実施するための形態】
【００１０】
実施の形態１．
本実施の形態１の接続装置の構成を説明する。本実施の形態１では、接続装置がプラグの場合で説明する。また、本実施の形態１では、はんだ付けをせずに端子同士を電気的に接続することができる場合で説明する。
【００１１】
図１は、本発明の実施の形態１に係るプラグの一構成例を示す外観図である。図２は、図１に示すプラグを下から見たときの外観図である。図３は、図１に示すプラグにおいて、キャップを外した状態を示す外観図である。図４は、図１に示したプラグの断面図である。
【００１２】
図１に示すように、プラグ１は、図に示さないケーブルの芯線と電気的に接続される第１の端子と、ケーブルの芯線とは異なる導線と電気的に接続される第２の端子５と、第２の端子５の外周の一部を覆う絶縁性カバー６と、絶縁性キャップ７とを有する。図１では、第１の端子は第２の端子５に覆われているため、図に示されていない。図１に示していないが、絶縁性キャップ７の内周面には、ネジ山およびネジ溝が螺旋状に形成された第１のネジが設けられている。第１の端子および第２の端子５の材料は、導電性のある金属である。絶縁性カバー６、絶縁体４および絶縁性キャップ７の材料は、例えば、樹脂である。
【００１３】
図３に示すように、第２の端子５は、ケーブルが挿入される挿入口８を備えた円筒部５ａを有する。円筒部５ａには、第１のネジに対応する第２のネジ１２が設けられている。円筒部５ａには、ケーブルの導線をビス２０で第２の端子５に固定するための開口９が設けられている。
【００１４】
図４に示すように、第１の端子３は、芯線と接続される第１のピン３ａと、図に示さないソケットと接続される第２のピン３ｂとを有する。図４に示す構成例では、第１のピン３ａの軸方向（Ｚ軸矢印と平行）と第２のピン３ｂの軸方向（Ｘ軸矢印と平行）とが垂直である。図４に示すプラグ１においては、第１の端子３はＬ字状に構成される。
【００１５】
また、図４に示すように、第２の端子５は、円筒部５ａと、絶縁体４を介して第１の端子３を支持する支持部５ｂと、図に示さないソケットと接続されるピン５ｃとを有する。支持部５ｂの外周は絶縁性カバー６で覆われている。図１を参照すると、プラグ１において、第２の端子５は、ピン５ｃの外周が露出しているが、支持部５ｂの外周は絶縁性カバー６で覆われ、円筒部５ａの外周は絶縁性キャップ７で覆われている。そのため、プラグ１がソケットに接続された場合、第２の端子５の外周は絶縁性部材で覆われることになる。その結果、ユーザがプラグ１に触れても感電することがない。
【００１６】
次に、本実施の形態１のプラグ１へのケーブルの取り付け方法を説明する。はじめに、ケーブルの構成を説明する。図５は、本発明の実施の形態１に係るプラグに取り付けるケーブルの一構成例を示す外観模式図である。図５に示すケーブルは、撚り線ケーブル３０である。
【００１７】
図５に示すように、撚り線ケーブル３０は、芯線３１と、芯線３１とは異なる導線３３とを有する。芯線３１は、導電性の細い単線が複数撚り合わされた構成である。芯線３１は絶縁体３２で覆われている。絶縁体３２の外周には導線３３が網状に設けられている。導線３３は保護皮膜３４で覆われている。芯線３１および導線３３の材料は、例えば、銅である。絶縁体３２の材料は、例えば、ポリエチレンである。保護皮膜３４の材料は、例えば、ビニールである。
【００１８】
図６は、図１に示したプラグにケーブルを取り付ける手順の一例を示す図である。図６では、説明のために撚り線ケーブル３０の先端部分の断面を模式的に表している。実際には、撚り線ケーブル３０は、切断面しか露出しておらず、切断面以外は保護皮膜３４で覆われている。
【００１９】
ユーザは、図１に示した絶縁性キャップ７を撚り線ケーブル３０に通しておく。続いて、ユーザは、ビス２０を緩めた状態で、図６（ａ）に示すように、撚り線ケーブル３０を円筒部５ａの挿入口８に挿入する。そして、ユーザは、図６（ｂ）に示すように、撚り線ケーブル３０を円筒部５ａに押し込む。第１のピン３ａに芯線３１が押しつけられると、芯線３１の撚り線が解けて第１のピン３ａにまとわりつくように第１のピン３ａと接触する。第１のピン３ａに芯線３１が押しつけられた状態で、ユーザは、ビス２０を開口９に留める。その際、ビス２０が保護皮膜３４を貫通し、導線３３に到達する。導線３３がビス２０と接触するとともにビス２０で固定されることで、導線３３がビス２０を介して第２の端子５の円筒部５ａと電気的に接続される。その後、図６（ｃ）に示すように、ユーザは、図１に示した絶縁性キャップ７の第１のネジを第２のネジ１２に噛み合わせて絶縁性キャップ７を回し、絶縁性キャップ７を第２の端子５の円筒部５ａに装着する。
【００２０】
このようにして、ユーザは、芯線３１を第１の端子３に接触させ、ビス２０を介して導線３３を第２の端子５と接触させた状態で、芯線３１および導線３３をプラグ１に固定させることができる。そのため、はんだ付けなしで、芯線３１と第１の端子３とが確実に電気的に接続し、導線３３と第２の端子５とが確実に電気的に接続する。
【００２１】
本実施の形態１のプラグ１は、芯線３１と電気的に接続される第１の端子３と、導線３３と電気的に接続される第２の端子５と、支持部５ｂの外周を覆う絶縁性カバー６と、円筒部５ａの外周を覆う絶縁性キャップ７とを有する。第２の端子５の円筒部５ａには、導線３３を固定するビス２０が挿入される開口９が形成されている。絶縁性キャップ７は、円筒部５ａに取り付けられた状態で、開口９に挿入されたビス２０を覆い、円筒部５ａの外周を覆う構成である。
【００２２】
本実施の形態１によれば、ユーザがケーブルをプラグ１に差し込み、ビス２０でケーブルを固定することで、はんだ付けなしで第１の端子３および第２の端子５の各接点で電極同士を簡便、かつ確実に電気的に接続することができる。ユーザは、ソケットの種類に対応するプラグとケーブルとが一体に構成されたものを事前に準備する必要がない。例えば、ユーザは、ソケットの直径に対応するプラグ１を事前に準備すれば、その場でプラグ１にケーブルを接続し、プラグ１をソケットに接続することで、ケーブルをソケットに接続できる。
【００２３】
また、本実施の形態１によれば、プラグ１の金属部分の外周面が絶縁部材で覆われているので、ユーザが通電中のプラグに触っても感電することを防げる。例えば、プラグが音楽演奏用の電子楽器に使用される場合、通電中のプラグを抜き差しする必要が生じることがある。例えば、演奏の中断時間を短時間で済ませるために、ユーザは、通電を継続させたままプラグを抜き差しすることがある。このような場合であっても、本実施の形態１のプラグ１では、金属部材の外周面が絶縁部材で覆われているので、ユーザが感電することを抑制できる。また、野外音楽演奏などで雨が降っていると、ユーザの手が濡れて感電しやすくなる。このような場合でも、本実施の形態１のプラグ１では、ユーザがプラグ１に触ったときに感電することを抑制できる。
【００２４】
また、本実施の形態１によれば、プラグ１の金属部分の外周面が絶縁部材で覆われているので、ユーザが誤って他のプラグなどの金属部品をプラグ１に接触させたとしても、プラグ１と金属部品との間で電気的ショートが生じることを防げる。プラグ１の直ぐ近くに金属部品があっても、電気的ショートが生じることを防げる。また、ユーザは、必要な長さにケーブルを切ってプラグ１に差し込んでビス２０を留めれば、電極同士が接続されるので、種々の長さのケーブルを事前に準備する必要がなく、ケーブルの長さの選択の自由度が大きくなる。さらに、ユーザは、ケーブルの保護被膜を剥いで外層の導線を露出させなくても、切断したケーブルをそのままプラグ１に差し込んでビス２０を留めれば、第２の端子５と導線とを電気的に接続できる。そのため、ユーザは、ケーブルの保護皮膜を剥いで外層の導線を露出させる手間が省ける。
【００２５】
また、本実施の形態１では、絶縁性キャップ７の内周面に第１のネジが形成され、円筒部５ａに第２のネジ１２が形成され、絶縁性キャップ７は、第２のネジ１２に第１のネジが噛み合わされることで、円筒部５ａに取り付けられている。この場合、ケーブルを第２の端子５に固定しているビス２０が絶縁性キャップ７で覆われ、絶縁性キャップ７は第１のネジと第２のネジ１２が噛み合わされて第２の端子５に固定されている。そのため、ビス２０が緩んでしまうことを防ぎ、ケーブルがプラグ１から抜けてしまうことを抑制できる。例えば、ユーザがケーブルの変更を行う場合およびプラグ１の接続先を変更する場合などに、ケーブルを引っ張ってしまうことがある。その度にケーブルにプラグ１から抜く方向に力がかかる。このような場合でも、本実施の形態１によれば、ケーブルがビス２０でプラグ１に固定され、ビス２０が絶縁性キャップ７で覆われているため、ビス２０が緩むことを防ぐことができる。その結果、ケーブルの固定が緩んでプラグ１からケーブルが抜けてしまうことを抑制できる。
【００２６】
なお、本実施の形態１では、第１の端子３の形状がＬ字型の場合で説明したが、第１の端子３の形状はＬ字型に限らない。第１の端子３の形状は、第１のピン３ａの軸方向と第２のピン３ｂの軸方向とが平行であってもよい。図７は、本発明の実施の形態１に係るプラグの別の構成例を示す外観斜視図である。図８は、図７に示したプラグを別の方向からみたときの外観図である。図９は、図８に示したプラグの断面図である。図１に示したプラグと同一の構成については同一の符号を付し、その詳細な説明を省略する。
【００２７】
図７〜図９に示すように、プラグ１ａは、第１の端子３と、第２の端子５と、絶縁性カバー６と、絶縁性キャップ７とを有する。プラグ１ａでは、第１のピン３ａの軸方向と第２のピン３ｂの軸方向とが、平行で、かつ軸が重なっている。図７〜図９に示すプラグ１ａにおいても、図１〜図６を参照して説明したプラグ１と同様な効果が得られる。
【００２８】
実施の形態２．
本実施の形態２の接続装置の構成を説明する。本実施の形態２では、接続装置がソケットの場合で説明する。また、本実施の形態２では、はんだ付けをせずに端子同士を電気的に接続することができる場合で説明する。本実施の形態２では、実施の形態１と同一の構成については同一の符号を付し、その詳細な説明を省略する。
【００２９】
図１０は、本発明の実施の形態２に係るソケットの一構成例を示す外観斜視図である。図１１は、図１０に示したソケットを別の方向から見たときの構成例を示す外観図である。図１２は、図１１に示すソケットにおいて、キャップを外した状態を示す外観図である。図１３は、図１１に示したソケットの断面図である。
【００３０】
ソケット２は、図に示さないケーブルの芯線と電気的に接続される第１の端子２３と、ケーブルの芯線とは異なる導線と電気的に接続される第２の端子２５と、第２の端子２５の外周の一部を覆う絶縁性カバー２６と、絶縁性キャップ７とを有する。絶縁性キャップ７の内周面には、実施の形態１で説明したように、図１０に示さない第１のネジが設けられている。図１０では、第２の端子２５は絶縁性カバー２６および絶縁性キャップ７に覆われているため、図に示されていない。第１の端子２３および第２の端子２５の材料は、導電性のある金属である。絶縁性カバー２６および絶縁性キャップ７の材料は、例えば、樹脂である。図１１に示すように、ソケット２において、第１の端子２３の反対側には、ケーブルが挿入される挿入口８が設けられている。
【００３１】
図１２に示すように、第２の端子２５は、ケーブルが挿入される挿入口８を備えた円筒部２５ａを有する。円筒部２５ａには、第１のネジに対応する第２のネジ１２が設けられている。円筒部２５ａには、ケーブルの導線をビス２０で第２の端子２５に固定するための開口９が設けられている。
【００３２】
図１３に示すように、第２の端子２５は、円筒部２５ａと、絶縁体４を介して第１の端子２３を支持する支持部２５ｂとを有する。支持部２５ｂの外周は絶縁性カバー２６で覆われている。図１３において、説明のために第１の端子２３の軸方向（Ｘ軸矢印に平行）を破線で示す。図に示さないプラグがソケット２に接続される場合、破線で示す軸方向において、支持部２５ｂのうち、プラグに最も近い側の面ｓ１は、絶縁性カバー２６のうち、プラグに最も近い側の面ｓ２よりも円筒部２５ａに近い位置にある。つまり、面ｓ１と面ｓ２との間に段差が設けられ、かつ面ｓ１は面ｓ２よりも破線で示す軸方向で円筒部２５ａに近い側にある。段差の距離ｘ１は、例えば、０．１〜０．５ｍｍである。
【００３３】
図１３を見てわかるように、本実施の形態２のソケット２において、第２の端子２５は、支持部２５ｂの外周は絶縁性カバー２６で覆われ、円筒部２５ａは絶縁性キャップ７で覆われている。そのため、第２の端子２５の外周は絶縁性部材で覆われることになる。その結果、ユーザがソケット２に触れても感電することがない。また、第１の端子２３の軸方向において、接続されるプラグに対して、支持部２５ｂの最も近い側の面ｓ１と絶縁性カバー２６の最も近い側の面ｓ２との間に段差が設けられ、面ｓ１は面ｓ２よりも円筒部２５ａに近い側にある。そのため、ソケット２がプラグに接続された場合、支持部２５ｂのプラグ側の先端周辺が露出することを防ぐことができる。
【００３４】
次に、本実施の形態２のソケット２へのケーブルの取り付け方法を説明する。ここでは、図５を参照して説明した撚り線ケーブル３０をソケット２に接続する場合で説明する。図１４は、図１０に示したソケットにケーブルを取り付ける手順の一例を示す図である。図１４では、説明のために撚り線ケーブル３０の先端部分の断面を模式的に表している。
【００３５】
ユーザは、図１０に示した絶縁性キャップ７を撚り線ケーブル３０に通しておく。続いて、ユーザは、ビス２０を緩めた状態で、図１４（ａ）に示すように、撚り線ケーブル３０を円筒部２５ａの挿入口８に挿入する。そして、ユーザは、図１４（ｂ）に示すように、撚り線ケーブル３０を円筒部２５ａに押し込む。第１の端子２３に芯線３１が押しつけられると、芯線３１の撚り線が解けて第１の端子２３にまとわりつくように第１の端子２３と接触する。第１の端子２３に芯線３１が押しつけられた状態で、ユーザは、ビス２０を開口９に留める。その際、ビス２０が保護皮膜３４を貫通し、導線３３に到達する。導線３３がビス２０と接触するとともにビス２０で固定されることで、導線３３がビス２０を介して第２の端子２５の円筒部２５ａと電気的に接続される。その後、図１４（ｃ）に示すように、ユーザは、図１０に示した絶縁性キャップ７の第１のネジを第２のネジ１２に噛み合わせて絶縁性キャップ７を回し、絶縁性キャップ７を第２の端子２５の円筒部２５ａに装着する。
【００３６】
このようにして、ユーザは、芯線３１を第１の端子２３に接触させ、ビス２０を介して導線３３を第２の端子２５と接触させた状態で、芯線３１および導線３３をソケット２に固定させることができる。そのため、はんだ付けなしで、芯線３１と第１の端子２３とが確実に電気的に接続し、導線３３と第２の端子２５とが確実に電気的に接続する。
【００３７】
本実施の形態２のソケット２は、芯線３１と電気的に接続される第１の端子２３と、導線３３と電気的に接続される第２の端子２５と、支持部２５ｂの外周を覆う絶縁性カバー６と、円筒部２５ａの外周を覆う絶縁性キャップ７とを有する。第２の端子２５の円筒部２５ａには、導線３３を固定するビス２０が挿入される開口９が形成されている。絶縁性キャップ７は、円筒部２５ａに取り付けられた状態で、開口９に挿入されたビス２０を覆い、円筒部２５ａの外周を覆う構成である。
【００３８】
本実施の形態２によれば、ユーザがケーブルをソケット２に差し込み、ビス２０でケーブルを固定することで、はんだ付けなしで第１の端子２３および第２の端子２５の各接点で電極同士を簡便、かつ確実に電気的に接続することができる。ユーザは、プラグの種類に対応するソケットとケーブルとが一体に構成されたものを事前に準備する必要がない。例えば、ユーザは、プラグの直径に対応するソケット２を事前に準備すれば、その場でソケット２にケーブルを接続し、ソケット２をプラグに接続することで、ケーブルをプラグに接続できる。
【００３９】
また、本実施の形態２によれば、ソケット２の金属部分の外周面が絶縁部材で覆われているので、ユーザが通電中のプラグに触っても感電することを防げる。また、本実施の形態２においても、実施の形態１と同様に、ソケット２の金属部分の外周面が絶縁部材で覆われているので、ユーザが誤って他のプラグなどの金属部品をソケット２に接触させたとしても、ソケット２と金属部品との間で電気的ショートが生じることを防げる。また、ユーザは、必要な長さにケーブルを切ってソケット２に差し込んでビス２０を留めれば、電極同士が接続されるので、種々の長さのケーブルを事前に準備する必要がなく、ケーブルの長さの選択の自由度が大きくなる。さらに、ユーザは、ケーブルの保護被膜を剥いで外層の導線を露出させなくても、切断したケーブルをそのままソケット２に差し込んでビス２０を留めれば、第２の端子２５と導線とを電気的に接続できる。そのため、ユーザは、ケーブルの保護皮膜を剥いで外層の導線を露出させる手間が省ける。
【００４０】
また、本実施の形態２では、絶縁性キャップ７の内周面に第１のネジが形成され、円筒部２５ａに第２のネジ１２が形成され、絶縁性キャップ７は、第２のネジ１２に第１のネジが噛み合わされることで、円筒部２５ａに取り付けられている。この場合、ケーブルを第２の端子２５に固定しているビス２０が絶縁性キャップ７で覆われ、絶縁性キャップ７は第１のネジと第２のネジ１２が噛み合わされて第２の端子２５に固定されている。そのため、ビス２０が緩んでしまうことを防ぎ、ケーブルがソケット２から抜けてしまうことを抑制できる。本実施の形態２のソケット２が音楽演奏に使用される場合、実施の形態１と同様な効果を得ることができる。
【００４１】
なお、実施の形態１では接続装置がプラグ１の場合を説明し、実施の形態２では接続装置がソケット２の場合を説明したが、接続装置は、プラグ１およびソケット２を組み合わせたコネクタであってもよい。図１５は、図１に示したプラグおよび図１０に示したソケットが組み合わされたコネクタの一構成例を示す外観図である。図１５に示すように、コネクタ５０は、プラグ１およびソケット２を有する。コネクタ５０は、実施の形態１および２で説明した効果だけでなく、電圧伝送を中継する役目を果たす。
【００４２】
また、本実施の形態１のプラグ１および実施の形態２のソケット２は、電気を伝送する役目を果たすものであるが、例えば、交流（ＡＣ）の電流を伝送するものであってもよく、直流（ＤＣ）の電流を伝送するものであってもよい。さらに、本実施の形態１および実施の形態２では、接続装置に接続されるケーブルが撚り線ケーブルの場合で説明したが、ケーブルは撚り線ケーブルに限らない。ケーブルは同軸ケーブルであってもよい。
【００４３】
また、本実施の形態１のプラグ１および実施の形態２のソケット２において、ユーザがビス２０を留める際、ビス２０が保護皮膜３４を貫通して導線３３と電気的に接続する場合で説明したが、ビス２０に限らない。保護皮膜３４を貫通でき、円筒部５ａおよび２５ａに固定できる導体部材であれば、ビス２０でなくてもよい。
【００４４】
また、本実施の形態１および実施の形態２では、絶縁性キャップの円筒部への固定手段がネジの場合で説明したが、固定手段はネジの場合に限らない。以下では、ネジ以外の固定手段を用いたロック構造の例を、実施の形態１のプラグ１の場合で説明するが、実施の形態２で説明した接続装置の場合であってもよい。図１６は、図１に示した絶縁性キャップの別の構成例を示す図である。図１６（ａ）は絶縁性キャップの外観図であり、図１６（ｂ）は絶縁性キャップの断面模式図である。
【００４５】
図１６（ａ）に示す絶縁性キャップ７において、ケーブル挿入口６２の反対側を絶縁性キャップ７の先端側とすると、絶縁性キャップ７の先端側にスリット６１が形成されている。図１６（ａ）に示す構成例では、スリット６１は４つ形成されている。また、図１６（ｂ）に示すように、絶縁性キャップ７の先端側には、絶縁性キャップ７の中心軸側に飛び出る爪部６３が形成されている。図１６に示す絶縁性キャップ７の内周面には第１のネジが形成されていない。
【００４６】
図１７は、図１６に示した絶縁性キャップをプラグ本体に取り付ける手順の一例を示す図である。図１７では、撚り線ケーブル３０をプラグ１の円筒部５ａに取り付ける場合を示しているが、撚り線ケーブル３０の断面構造を図に示すことを省略している。また、図１７に示すように、円筒部５ａには、図３に示した第２のネジ１２が設けられていないが、環状突起部４６が設けられている。
【００４７】
ユーザが撚り線ケーブル３０をプラグ本体に取り付けた後、図１７（ａ）の矢印方向に絶縁性キャップ７を移動させる。絶縁性キャップ７の先端の爪部６３が円筒部５ａの環状突起部４６に当たる。このとき、絶縁性キャップ７の先端には図１６（ａ）に示したスリット６１が設けられているため、図１７（ｂ）に示すように、絶縁性キャップ７の先端が中心軸を基準にして径方向に広がる。ユーザがさらに絶縁性キャップ７を移動させると、爪部６３が環状突起部４６を通過し、絶縁性キャップ７の先端側の直径が元の大きさに戻る。その結果、図１７（ｃ）に示すように、爪部６３が環状突起部４６に引っかかり、絶縁性キャップ７がプラグ本体から抜けにくくなる。
【００４８】
続いて、固定手段の別の例を説明する。図１８は、図１に示した絶縁性キャップの別の構成例を示す断面模式図である。図１８に示す絶縁性キャップ７において、ケーブル挿入口６２の反対側を絶縁性キャップ７の先端側とすると、絶縁性キャップ７の先端側に溝６４が形成されている。溝６４は、絶縁性キャップ７の内周に沿って形成されている。図１８に示す絶縁性キャップ７の内周面には第１のネジが形成されていない。
【００４９】
図１９は、図３に示したプラグの円筒部の別の構成例を説明するための図である。図１９（ａ）はプラグの一構成例を示す断面図であり、図１９（ｂ）は図１９（ａ）に示す固定部の拡大模式図である。図１９（ａ）に示すように、円筒部５ａには、図３に示した第２のネジ１２が設けられていないが、環状突起部４６が設けられている。また、絶縁性キャップ７を固定する固定部８０が環状突起部４６に設けられている。図１９（ａ）では、固定部８０の断面構造を図に示すことを省略している。図１９（ａ）に示す構成例では、固定部８０が１つ設けられているが、固定部８０が複数設けられていてもよい。
【００５０】
図１９（ｂ）に示すように、固定部８０は、ピン８１と、バネ８２と、円筒体８３とを有する。円筒体８３の内部にバネ８２が設けられている。円筒体８３の上面には、ピン８１の一部を露出させるための開口８４が設けられている。バネ８２の上側にピン８１が取り付けられている。ピン８１は、バネ８２の弾性力でＺ軸矢印方向に押されることで、Ｚ軸方向の位置を保つ。ピン８１をＺ軸矢印の反対方向に押すと、バネ８２が縮んでピン８１が円筒体８３の内部に収まる。ピン８１をＺ軸矢印の反対方向に押す力がなくなると、ピン８１は、バネ８２の弾性力で円筒体８３の上面よりも上に突出し、元の状態を保つ。
【００５１】
図２０は、図１８に示したキャップを図１９に示した円筒部に取り付ける手順の一例を示す図である。図２０では、撚り線ケーブル３０をプラグ１の円筒部５ａに取り付ける場合を示しているが、撚り線ケーブル３０および固定部８０の断面構造を図に示すことを省略している。
【００５２】
ユーザが撚り線ケーブル３０をプラグ本体に取り付けた後、図２０（ａ）の矢印方向に絶縁性キャップ７を移動させる。絶縁性キャップ７の先端が固定部８０のピン８１に当たるが、ユーザが絶縁性キャップ７をＸ軸矢印と反対方向に押すと、図２０（ｂ）に示すように、ピン８１が絶縁性キャップ７に押されて図１９（ｂ）に示した円筒体８３の内部に収まる。その後、ユーザが絶縁性キャップ７をさらに移動させると、図２０（ｃ）に示すように、ピン８１がバネ８２の弾性力で円筒体８３から絶縁性キャップ７の溝６４に突出する。溝６４に突出したピン８１は、バネ８２の弾性力で絶縁性キャップ７に対してＺ軸矢印方向に押す。その結果、図２０（ｃ）に示すように、ピン８１が溝６４に引っかかり、絶縁性キャップ７がプラグ本体から抜けにくくなる。
【００５３】
図１６〜図２０を参照して、ネジ以外の固定手段の例を説明したが、絶縁性キャップ７の接続装置本体への固定手段は、ネジの場合を含む複数の固定手段のうち、２つ以上を組み合わせてもよい。
【符号の説明】
【００５４】
１、１ａ  プラグ、２  ソケット、３  第１の端子、３ａ  第１のピン、３ｂ  第２のピン、４  絶縁体、５  第２の端子、５ａ  円筒部、５ｂ  支持部、５ｃ  ピン、６  絶縁性カバー、７  絶縁性キャップ、８  挿入口、９  開口、１２  第２のネジ、２０  ビス、２３  第１の端子、２５  第２の端子、２５ａ  円筒部、２５ｂ  支持部、２６  絶縁性カバー、３０  撚り線ケーブル、３１  芯線、３２  絶縁体、３３  導線、３４  保護皮膜、４６  環状突起部、５０  コネクタ、６１  スリット、６２  ケーブル挿入口、６３  爪部、６４  溝、８０  固定部、８１  ピン、８２  バネ、８３  円筒体、８４  開口、ｓ１、ｓ２  面。
【図１】
2020064830.tif 000003
【図２】
2020064830.tif 000004
【図３】
2020064830.tif 000005
【図４】
2020064830.tif 000006
【図５】
2020064830.tif 000007
【図６】
2020064830.tif 000008
【図７】
2020064830.tif 000009
【図８】
2020064830.tif 000010
【図９】
2020064830.tif 000011
【図１０】
2020064830.tif 000012
【図１１】
2020064830.tif 000013
【図１２】
2020064830.tif 000014
【図１３】
2020064830.tif 000015
【図１４】
2020064830.tif 000016
【図１５】
2020064830.tif 000017
【図１６】
2020064830.tif 000018
【図１７】
2020064830.tif 000019
【図１８】
2020064830.tif 000020
【図１９】
2020064830.tif 000021
【図２０】
2020064830.tif 000022